(57)【特許請求の範囲】
【請求項１】
既存の伸縮自在な蛇腹部が形成されたストローをパイプ状の容器本体として利用し、前記容器本体に、折り曲げると破断する易破断部を形成しておき、前記容器本体の一端部をシールして閉鎖するシール部を形成し、液状物を充填した後に、他端部をシールして閉鎖するシール部を形成して密封することで、少量の液状物を密封する液状物包装体を製造する方法であって、
前記充填する液状物の容量を増やすときに、前記蛇腹部を伸長させることを特徴とする液状物包装体の製造方法。
【発明の詳細な説明】
【技術分野】
【０００１】
本発明は液状物を密封する液状物包装体に係り、特に少量の液状物を小分けに密封する液状物包装体に関するものである。
【背景技術】
【０００２】
例えば、弁当には醤油やソースなどの液状物が充填された液状物包装体が入れられている。
この種の液状物包装体には特許文献１のような小袋型のものがある。この小袋型のものは上部の開口から液状物を充填し、同開口をシール等で閉鎖し、その外周部には、小袋型の液状物包装体を引き裂いて醤油等を取り出すための切込みが形成され、同切込みの一側方の円周部には、爪楊枝等の棒状体を挿入して引き裂く操作を行うための小孔が形成されている。
【０００３】
また、液状物包装体には開口に小型のボトル型のものがある。このボトル型のものは容器本体と、この容器本体に螺合されて開口を閉鎖するキャップとから構成されている。なお、容器本体は弾力のある合成樹脂等で形成されている。
【先行技術文献】
【特許文献】
【０００４】
【特許文献１】実用新案登録第３０７３６９４号公報
【発明の概要】
【発明が解決しようとする課題】
【０００５】
しかしながら、特許文献１記載の小袋型の液状物包装体は、開封する際に小孔に棒状体をいちいち挿入する必要があり、開封作業がかえって煩雑になってしまうことになる。
また、ボトル型の液状物包装体は開封するためには、ごく小さなキャップを摘まんで回さなければならず、開封作業が意外と面倒である。
【０００６】
ボトル型の液状物包装体を製造する際に、液状物を充填した後にキャップを容器本体に螺合して取り付けなければならないが、このキャップ取付は手作業に頼らざるを得ず、手間がかかるという問題がある。
【０００７】
更に、小袋型、ボトル型のいずれの液状物包装体も、液状物の容量を変更しようとする場合には、その容量ごとに別の液状物包装体を用意しなくてはならない。
【０００８】
本発明は上記従来の問題に着目して為されたものであり、開封を極めて簡単に行うことができ、また製造する際にも手間がかからず、しかも一種類で密封する液状物の容量の変更に対応することができる液状物包装体の提供を、その目的とする。
【課題を解決するための手段】
【０００９】
本発明は上記課題を解決するためになされたものであり、請求項１の発明は、既存の伸縮自在な蛇腹部が形成されたストローをパイプ状の容器本体として利用し、前記容器本体に、折り曲げると破断する易破断部を形成しておき、前記容器本体の一端部をシールして閉鎖するシール部を形成し、液状物を充填した後に、他端部をシールして閉鎖するシール部を形成して密封することで、少量の液状物を密封する液状物包装体を製造する方法であって、前記充填する液状物の容量を増やすときに、前記蛇腹部を伸長させることを特徴とする液状物包装体の製造方法である。
【発明の効果】
【００１２】
本発明の液状物包装体によれば、開封を極めて簡単に行うことができるようになる。
また、液状物包装体を製造する際にも手間がかからず、製造効率を向上させることが可能となる。
更に、本発明の液状物包装体では、一種類で充填する液状物の容量の変更に対応することができる。
【図面の簡単な説明】
【００１３】
【図１】本発明の液状物包装体の正面図である。
【図２】容器本体に液状物を開封する方法を説明するための正面図である。
【図３】本発明の液状物包装体の製造工程を説明するための正面図である。
【図４】容器本体に液状物を充填するとき、容器本体の容量を増やす方法を説明するための正面図である。
【発明を実施するための形態】
【００１４】
本発明の実施の形態に係る液状物包装体１を図面にしたがって説明する。
図１に示す液状物包装体１はパイプ状の容器本体２と、この容器本体２の両端の開口３を閉鎖するシール部４と、容器本体２に密封された液状物としての醤油Ｌとによって構成されている。
容器本体２の一端側には蛇腹部５が形成されており、この容器本体２は長手方向に伸縮可能となっている。また、液状物包装体１の略中央には易破断部としての切込み６が外周面に連続して形成されている。この切込み６は溝状で、容器本体２の内部には到達していない。
なお、容器本体２として既存のストローを利用することが可能である。
【００１５】
次に、液状物包装体１を開封して醤油Ｌを容器本体２から出す方法について説明する。
まず、液状物包装体１を摘まんで容器本体２を折り曲げる。すると図２に示すように切込み６が拡大し破断して二つの開口７が形成される。これら開口７の二つの開口から醤油Ｌが流出するため、醤油Ｌを容器本体２から短時間できれいに出すことができる。このように液状物包装体１では、容器本体２を折り曲げるだけで開封を極めて簡単に行うことができる。
【００１６】
次に、液状物包装体１の製造工程について説明する。
図３（ａ）に示すように容器本体２にはシール部４が形成されておらず、容器本体２には両端の開口３が形成された状態となっている。しかも、蛇腹部５は伸長していない状態となっている。
図３（ａ）に示す状態から、容器本体２の下側端部をヒートシールしてシール部４を形成し、図３（ｂ）に示すように下側の開口３を閉鎖する。
そして、上側の開口３からノズルＮを挿入し、このノズルＮから醤油Ｌを容器本体２へ充填する。
次に、図３（ｃ）に示すように、容器本体２の上側端部をヒートシールして上側のシール部４を形成する。
以上のようにして液状物包装体１が製造される。
【００１７】
また、充填する醤油Ｌの容量を増やすときは、図４に示す容器本体２の蛇腹部５を伸長させる。そして、上記した製造工程と同様に下側の開口３の閉鎖、醤油Ｌの充填、上側の開口３の閉鎖を行う。これにより密封される醤油Ｌの容量を増やすことが可能となる。
更に、蛇腹部５の伸長度合を変更することにより、一種類の容器本体２で密封される醤油Ｌの容量を変更することができる。
【００１８】
なお、この液状物包装体１の蛇腹部５は、液状物包装体１に衝撃が加わると蛇腹部５が伸長して衝撃を逃がすため、容器本体２が破損することを防ぐことができる。
【００１９】
以上、本発明の実施の形態について詳述してきたが、具体的構成は、この実施の形態に限られるものではなく、本発明の要旨を逸脱しない範囲における設計の変更などがあっても発明に含まれる。
例えば、本発明の蛇腹部５は容器本体２の片側端部寄りに形成したが、蛇腹部５は容器本体２のいずれの部分に形成してもよい。
また、切込み６は容器本体２の略中央に形成したが、切込み６は容器本体２のいずれの部分に形成してもよい。
また、液状物としては醤油、ソース等の調味料以外の食品、更に薬品等を密封してもよいのは勿論である。
【産業上の利用可能性】
【００２０】
少量の醤油等の液状物を密封する液状物包装体製造業において利用可能性を有する。
【符号の説明】
【００２１】
１…液状物包装体    ２…容器本体    ３…開口    ４…シール部
５…蛇腹部    ６…切込み    ７…開口    Ｌ…醤油    Ｎ…ノズル 
【図１】
0006046382.tif 000002
【図２】
0006046382.tif 000003
【図３】
0006046382.tif 000004
【図４】
0006046382.tif 000005